(57)【要約】【課題】地表上に汚染物質の分離や処理に必要な施設などを設けずに、地下水脈が存在しなくても積極的に汚染土壌の浄化を短時間で効果的に行うことができる優れた汚染土壌浄化方法及び装置を提供する。【解決手段】汚染土壌浄化装置１０において、注水用ピット２６を介して薬液が注水用井戸１２へ注入されるため、ガスによる注水効率の低下を防止できる。そして、注水用井戸１２から注入された薬液は、汚染土壌中１６に浸透して汚染物質を分解処理することにより、汚染土壌１６が浄化される。汚染土壌１６中の薬液が揚水用井戸１４から揚水されると、揚水用井戸１４の処理部材４０と接触する。接触した薬液は処理部材４０の触媒と反応してラジカルが生成されて、薬液中に残存する汚染物質が分解処理される。分解処理された薬液は揚水用井戸１４のパイプ３４内に流入して地表１８へ揚水される。【選択図】      図１
2005046807.tif 000002
【特許請求の範囲】
【請求項１】
地中の汚染土壌に注水用井戸から薬液又は水を注入して土壌に含まれる汚染物質を処理し、該処理した薬液又は水を揚水用井戸から揚水する汚染土壌浄化方法において、
前記揚水用井戸に前記汚染物質を処理する処理部を設け、前記薬液又は水に残留する前記汚染物質を揚水する段階で処理することを特徴とする汚染土壌浄化方法。
【請求項２】
地中の汚染土壌に注水用井戸から薬液又は水を注入して土壌に含まれる汚染物質を処理し、該処理した薬液又は水を揚水用井戸から揚水する汚染土壌浄化装置において、
前記揚水用井戸は、
地表から前記汚染土壌まで縦方向に掘削された縦穴と、
前記縦穴に遊挿されるとともにその下部に前記薬液又は水を流出する多数の孔が形成された筒状部材と、
前記筒状部材の周りに設けられて前記孔の目詰まりを防止する網状部材と、
前記縦穴の壁と前記筒状部材との間に砂材が充填されて前記筒状部材を支持する砂材層と、
前記縦穴と前記筒状部材との間に設けられて前記汚染物質を処理する触媒又は吸着剤を含有する処理部材と、を備えたことを特徴とする汚染土壌浄化装置。
【請求項３】
地中の汚染土壌に注水用井戸から薬液又は水を注入して土壌に含まれる汚染物質を処理し、該処理した薬液又は水を揚水用井戸から揚水する汚染土壌浄化装置において、
前記揚水用井戸は、
地表から前記汚染土壌まで縦方向に掘削された縦穴と、
前記縦穴に遊挿されるとともにその下部に前記薬液又は水を流出する多数の孔が形成された筒状部材と、
前記筒状部材の周りに設けられて前記孔の目詰まりを防止する網状部材と、
前記縦穴の壁と前記筒状部材との間に触媒又は吸着剤が混合された砂材を充填することにより、前記筒状部材を支持するとともに前記汚染物質を処理する処理層と、を備えたことを特徴とする汚染土壌浄化装置。
【請求項４】
地中の汚染土壌に注水用井戸から薬液又は水を注入して土壌に含まれる汚染物質を処理し、該処理した薬液又は水を揚水用井戸から揚水する汚染土壌浄化装置において、
前記揚水用井戸は、
地表から前記汚染土壌まで縦方向に掘削された縦穴と、
前記縦穴に遊挿されるとともにその下部に前記薬液又は水を流出する多数の孔が形成された筒状部材と、
前記筒状部材の周りに設けられて前記孔の目詰まりを防止するとともに、前記汚染物質を処理する触媒又は吸着剤の成分を含有する処理ネットと、
前記縦穴の壁と前記筒状部材との間に砂材が充填されて前記筒状部材を支持する砂材層と、を備えたことを特徴とする汚染土壌浄化装置。
【請求項５】
前記薬液は酸化剤であり、前記触媒は鉄及び／又は酸化チタンであるとともに、前記吸着剤は活性炭及び／又はイオン交換樹脂であることを特徴とする請求項２〜４の何れか１の汚染土壌浄化装置。
【請求項６】
前記注水用井戸で存在又は発生するガスを抜くためのガス抜き手段が設けられていることを特徴とする請求項２〜５の何れか１の汚染土壌浄化装置。
【発明の詳細な説明】
【技術分野】
【０００１】
本発明は、油類や揮発性有機化合物などにより汚染土壌に対して同位置で浄化を行う汚染土壌浄化方法及び装置に関する。
【背景技術】
【０００２】
従来、産業廃棄物の投棄や産業廃水の排出により、油類や揮発性有機化合物などの汚染物質が土壌に浸入して土壌が汚染される。土壌が汚染されると地下水へ汚染物質が溶出して土壌の汚染及び地下水の汚染が広範囲に拡がり、生活環境に影響を及ぼす虞がある。そのため、環境基本法や水質汚濁防止法などによって土壌環境基準及び地下水の浄化基準が定められ、様々な物質が規制されている。
【０００３】
そこで、これら汚染土壌に対して様々な取り組みがなされている。従来において、汚染されている土壌や地下水を土壌掘削や、揚水、ないし土壌ガス抽出などで回収してから汚染物質を分離して処理する浄化方法がある。また、汚染土壌に直接分解を促進する物質又は微生物を注入して分解処理する浄化方法も多く採用されており、注入と揚水を組み合わせて行う方法も用いられている。
【０００４】
特に、特許文献１で開示されている汚染土壌浄化方法では、土壌内の横方向に鉄粉を充填させた鉄粉含有層を形成させることにより、鉄粉含有層と土壌内を流れる地下水及び／又は土壌水分とが接触して、土壌及び又は地下水中の有機ハロゲン化合物が分解される。これにより、比較的安価に、かつ短期間で効率的に汚染土壌や地下水を浄化することができる。
【０００５】
また、特許文献２で開示されている地下水浄化構造及び地下水浄化方法では、鉄粉と鉄酸化物及び鉄水酸化物の混合物で構成されている壁状領域（透水壁）を地中の縦方向に設けることにより、砒素によって汚染された地下水を効果的に浄化することができる。
【特許文献１】特開２００２−２８６３１号公報
【特許文献２】特開２００３−３９０８０号公報
【発明の開示】
【発明が解決しようとする課題】
【０００６】
しかしながら、従来の土壌掘削や、揚水、ないし土壌ガス抽出による浄化方法では、回収した土壌や、地下水、ないしガスを分離して処理するための施設を設けなければならなず、分離して処理するための設備スペース及び設備コストが増大する。また、注入して浄化する方法では、浄化に多くの時間を要するという問題がある。注水及び揚水を組み合わせて浄化する方法では浄化に要する時間を短縮することはできるが、揚水した後に分離して処理する施設を設けなければならず、分離して処理するための設備スペース及び設備コストが増大する。
【０００７】
特許文献１及び特許文献２の浄化方法でも、土壌中に存在する地下水の流れを利用しているため汚染土壌浄化方法では多くの時間を要する上、地下水の流れは様々な要因によって変動し易く、地下水の流れから外れてしまうと汚染土壌の浄化を行うことができないという問題が発生する。
【０００８】
本発明はこのような事情に鑑みてなされたもので、地表上に汚染物質の分離や処理に必要な施設などを設けずに、地下水脈が存在しなくても積極的に汚染土壌の浄化を短時間で効果的に行うことができる優れた汚染土壌浄化方法及び装置を提供することを目的とする。
【課題を解決するための手段】
【０００９】
本発明の請求項１は前記目的を達成するために、地中の汚染土壌に注水用井戸から薬液又は水を注入して土壌に含まれる汚染物質を処理し、該処理した薬液又は水を揚水用井戸から揚水する汚染土壌浄化方法において、前記揚水用井戸に前記汚染物質を処理する処理部を設け、前記薬液又は水に残留する前記汚染物質を揚水する段階で処理することを特徴とする。
【００１０】
請求項１によれば、注水用井戸から汚染土壌に注入して処理又は洗浄した薬液又は水を揚水用井戸から揚水する際に、揚水用井戸内に設けられた処理部で含まれている汚染物質を処理することにより、短時間で確実に汚染物質に対して処理を行うことができる。したがって、地表へ揚水した薬液又は水から汚染物質を分離して処理する設備を地表上に設けなくてすむので、そのために要する時間、設備スペース、設備コスト、及びランニングコストを大幅に削減することができる。
【００１１】
本発明の請求項２は前記目的を達成するために、地中の汚染土壌に注水用井戸から薬液又は水を注入して土壌に含まれる汚染物質を処理し、該処理した薬液又は水を揚水用井戸から揚水する汚染土壌浄化装置において、前記揚水用井戸は、地表から前記汚染土壌まで縦方向に掘削された縦穴と、前記縦穴に遊挿されるとともにその下部に前記薬液又は水を流入させる多数の孔が形成された筒状部材と、前記筒状部材の周りに設けられて前記孔の目詰まりを防止する網状部材と、前記縦穴の壁と前記筒状部材との間に砂材が充填されて前記筒状部材を支持する砂材層と、前記縦穴と前記筒状部材との間に設けられて前記汚染物質を処理する触媒又は吸着剤を含有する処理部材と、を備えたことを特徴とする。
【００１２】
請求項２によれば、汚染土壌浄化装置には揚水を行うための揚水用井戸が設けられている。揚水用井戸は、地表から前記汚染土壌まで縦方向に掘削された縦穴の中に網状部材を被せた筒状部材を遊挿してから、縦穴と筒状部材との間に処理部材を設置して、砂材を詰めることにより砂材層を形成させ、その砂材層により筒状部材及び処理部材が縦穴に支持される。
【００１３】
揚水用井戸で揚水を開始すると、汚染土壌に注入された薬液又は水は砂材層、処理部材、及び網状部材を経て筒状部材に取り込まれて、地表へ揚水される。砂材層には透水性の高い砂材が使用されているため、取り込まれた薬液又は水をそのまま透過することができる。また、筒状部材の外周に透水性の高い網状部材を設けることにより、揚水の際に砂材による筒状部材に設けられた孔の目詰まりを防止することができるので、安定して効率よく揚水を行うことができる。さらに、縦穴と筒状部材との間に処理部材を設けることにより、揚水される薬液又は水は筒状部材の内部に取り込まれるまでに必ず処理部材を通過するので、汚染土壌を処理又は洗浄した薬液又は水に残留する汚染物質は、処理部材内の触媒又は吸着剤によって分解又は吸着されて処理される。
【００１４】
したがって、筒状部材内に取り込まれた薬液又は水は、汚染物質を含まない薬液又は水であるため、地表に揚水した後に地表で汚染物質の分離及び処理を行わなくてすむので、地表での分離及び処理にかかる時間、設備スペース、設備コスト、及びランニングコストを大幅に削減することができる。また、揚水用井戸は比較的簡単な構造であるため、設置にかかるコストや設備コストをかけずに、短時間で効率よく汚染土壌の浄化を行うことができる。
【００１５】
本発明の請求項３は前記目的を達成するために、地中の汚染土壌に注水用井戸から薬液又は水を注入して土壌に含まれる汚染物質を処理し、該処理した薬液又は水を揚水用井戸から揚水する汚染土壌浄化装置において、前記揚水用井戸は、地表から前記汚染土壌まで縦方向に掘削された縦穴と、前記縦穴に遊挿されるとともにその下部に前記薬液又は水を流出する多数の孔が形成された筒状部材と、前記筒状部材の周りに設けられて前記孔の目詰まりを防止する網状部材と、前記縦穴の壁と前記筒状部材との間に触媒又は吸着剤が混合された砂材を充填することにより、前記筒状部材を支持するとともに前記汚染物質を処理する処理層と、を備えたことを特徴とする。
【００１６】
請求項３における揚水用井戸は、地表から前記汚染土壌まで縦方向に掘削された縦穴の中に網状部材を被せた筒状部材を遊挿し、縦穴と網状部材との間に触媒又は吸着剤が混合された砂材を充填することによって処理層を形成させ、その処理層で筒状部材を縦穴に支持される。
【００１７】
揚水用井戸で揚水を開始すると、汚染土壌に注入された薬液又は水は砂材層及び網状部材を経て筒状部材に取り込まれ、地表へ揚水される。処理層は通水性のよい砂材に触媒又は吸着剤が混合して形成されるので、取り込まれた薬液又は水を効率よく通過させることができる。また、揚水される薬液又は水は筒状部材の内部に取り込まれるまでに必ず処理層を通過するので、通過する際に処理層に含まれる触媒又は吸着剤と接触して、残留する汚染物質を効率よく分解又は吸着することができる。したがって、筒状部材内の薬液又は水には取り込まれた時点ですでに汚染物質が残留していないため、揚水後の薬液又は水に対して汚染物質の分離及び処理を行わなくてすむので、地表における分離及び処理にかかる時間、設備スペース、設備コスト、及びランニングコストを大幅に削減することができる。また、筒状部材の外周に透水性の高い網状部材を設けることにより、揚水の際に砂材層の砂材や、触媒又は吸着剤が流入して筒状部材に設けられた多数の孔に目詰まりを起こすことを防止できるので、安定して効率よく揚水を行うことができる。
【００１８】
このように、処理層で処理を行うようにすることにより揚水用井戸が簡単な構造で構成されるため、短時間で効率よく汚染土壌の浄化を行えるとともに、設置にかかる時間及び設備コストをより削減することができる。
【００１９】
本発明の請求項４は、地中の汚染土壌に注水用井戸から薬液又は水を注入して土壌に含まれる汚染物質を処理し、該処理した薬液又は水を揚水用井戸から揚水する汚染土壌浄化装置において、前記揚水用井戸は、地表から前記汚染土壌まで縦方向に掘削された縦穴と、前記縦穴に遊挿されるとともにその下部に前記薬液又は水を流出する多数の孔が形成された筒状部材と、前記筒状部材の周りに設けられて前記孔の目詰まりを防止すると共に、前記汚染物質を処理する触媒又は吸着剤の成分を含有する処理ネットと、前記縦穴の壁と前記筒状部材との間に砂材が充填されて前記筒状部材を支持する砂材層と、を備えたことを特徴とする。
【００２０】
請求項４の揚水用井戸は、地表から前記汚染土壌まで縦方向に掘削された縦穴の中に触媒ネットで覆われた筒状部材を遊挿して、縦穴と筒状部材との間に砂材を充填した砂材層を設けて筒状部材及び処理部材を縦穴に支持することにより形成される。
【００２１】
揚水用井戸で揚水を開始すると、汚染土壌に注入された薬液又は水は砂材層、処理部材、及び処理ネットを通過した後、筒状部材に設けられた多数の孔から筒状部材内へ取り込まれて地表へ揚水される。
【００２２】
砂材層は透水性の高い砂材で構成されるため、取り込まれた薬液又は水を効率よく透過することができる。
【００２３】
また、筒状部材の外周に処理ネットを設けることにより、揚水時に砂材の流入によって筒状部材の孔が目詰まりを起こすことを防止するとともに、汚染土壌を処理又は洗浄した薬液又は水が通過する際に処理ネットに含まれる触媒又は吸着剤と接触して、残留する汚染物質を分解又は吸着して処理することができる。
【００２４】
揚水される薬液又は水は筒状部材に取り込まれるまでに必ず処理ネットを通過するため、筒状部材内に取り込まれた薬液又は水は汚染物質を含まない。したがって、地表に揚水した後に地表で汚染物質の分離及び処理を行わなくてすむので、地表での分離及び処理にかかる時間、設備スペース、設備コスト、及びランニングコストを大幅に削減することができる。加えて、揚水用井戸は比較的簡単な構造であるため、設置にかかる時間や設備コストをより削減することができる上、短時間で効率よく汚染土壌の浄化を行うことができる。
【００２５】
本発明の請求項５は、請求項２〜４の何れか１の薬液は酸化剤であり、前記触媒は鉄及び／又は酸化チタンであるとともに、前記吸着剤は活性炭及び／又はイオン交換樹脂であることを特徴とする。
【００２６】
請求項５によれば、注入する薬液として酸化剤を使用することにより、注水された酸化剤と汚染土壌に含まれる汚染物質とが酸化反応して汚染物質を分解することができる。そして、揚水用井戸に設けられた触媒として鉄及び／又は酸化チタンを使用することにより、揚水中に汚染土壌中の薬液と触媒とが接触すると、薬液中の酸化剤が触媒の鉄及び／又は酸化チタンと反応してラジカルが形成される。そのラジカルの強力な酸化力により薬液中で分解しきれなかった汚染物質が効果的に分解されるので、揚水された薬液中から汚染物質を除去することができる。
【００２７】
また、吸着剤として活性炭及び／又はイオン交換樹脂を用いることにより、筒状部材に取り込まれる際に吸着剤と接触すると、残存する汚染物質が活性炭及び／又はイオン交換樹脂の吸着力により吸着されるので、汚染物質を効果的に除去した揚水を行うことができる。
【００２８】
本発明の請求項６は、請求項２〜５の何れか１の注水用井戸で存在又は発生するガスを抜くためのガス抜き手段が設けられていることを特徴とする。
【００２９】
請求項７によれば、注水用井戸の内部に空気などのガスが存在すると、注水用井戸を用いて注水を行う際に抵抗が生じて効率よく注入を行うことができない。そこで、注水用井戸にガス抜き手段を設けることにより、注水用井戸の内部に存在又は発生したガスが注水用井戸から抜き取られるので、ガス抵抗のない安定した注水を行うことができる。
【発明の効果】
【００３０】
以上説明したように本発明に係る汚染土壌浄化方法及び装置において、注入用井戸及び揚水用井戸を設けて、揚水用井戸に汚染物質の処理を行う処理部材を備えることにより、地表での揚水の分離及び処理のための設備スペース、設備コスト、及び分離のためのランニングコストをかけずに、汚染土壌の浄化を効率よく行うことができる。また、処理部材として処理速度の速い触媒や吸着剤などを用い、ガス抜き手段を有する注入用井戸で注入を行うので、極めて短時間で効率のよい汚染土壌の浄化を行うことができる。
【００３１】
これらにより、設置に時間や手間をかけずに安価で、かつ確実に汚染土壌の浄化を行うことができるので、広範囲にわたる汚染土壌を短時間で浄化することができる。
【発明を実施するための最良の形態】
【００３２】
以下添付図面に従って本発明に係る汚染土壌浄化方法及び装置における好ましい実施の形態について詳説する。
【００３３】
図１は、本発明の第１の実施の形態である汚染土壌浄化装置１０の概略構成を示した断面斜視図であり、汚染土壌に対して薬液を注入して浄化を行う一例である。なお、本実施の形態では、汚染土壌に含有される汚染物質として有機ハロゲン化合物及び油の場合で説明するとともに、注水用井戸から過酸化水素を添加した水溶液を注入して汚染物質を酸化分解し、薬液中に残存する汚染物質を揚水用井戸において触媒の酸化チタンで処理する一例で以下に説明する。
【００３４】
図１に示すように、汚染土壌浄化装置１０は、主に複数の注水用井戸１２，１２…と、複数の揚水用井戸１４，１４…とが対になるように構成される。
【００３５】
各注水用井戸１２，１２…及び各揚水用井戸１４，１４…は、地表１８から汚染物質によって汚染された汚染土壌１６に達する深さまで、垂直方向に掘削することにより形成される。
【００３６】
また、注水用井戸１２の地表上の周辺には、注入する薬液を貯留するための注水タンク２０が設けられる。そして、注水タンク２０は注入するための薬液を供給する注水ポンプ２２及び注水配管２４が接続され、ガス抜き手段として設けられた注水用ピット２６を介して各注水用井戸１２，１２…へ常に満水になるように薬液が充填されて注入される。一方、揚水用井戸１４の周辺には、地表に揚水された薬液を貯留するための揚水タンク２８が設けられる。そして、揚水タンク２８には汚染土壌１６中の薬液を吸引するための揚水ポンプ３０が設けられ、揚水配管３２を介して各揚水用井戸１４，１４…と連結して揚水される。
【００３７】
注水用井戸１２は、筒状部材としてのパイプ３４と、砂材層としての珪砂層３６と、網状部材としてのネット３８とで構成される。パイプ３４は、塩化ビニルなどの腐りにくい耐水性を有する材質が用いられ、パイプ３４の長さは注水用井戸１２の深さと同じであることが好ましい。パイプ３４の表面には、汚染土壌１６の厚さと同じ範囲に多数の孔が設けられる。珪砂層３６には通水性のよい砂材である珪砂が用いられる。珪砂層３６は、注水用井戸１２とパイプ３４との間に珪砂を充填することによって形成される。ネット３８は網目状の材質で構成され、パイプ３４の外周を被せるように設置される。ネット３８の網目は通水性を阻害しない程度の大きさで、かつ珪砂層３６の珪砂がパイプ３４中に流れ込むことを防止できる大きさであることが好ましい。
【００３８】
図２は、本発明の第１の実施の形態である汚染土壌浄化装置１０における揚水用井戸１４の断面図である。図２に示すように、揚水用井戸１４の構成は注水用井戸１２とほぼ同様であるが、珪砂層３６とネット３８との間に処理部材４０が設けられる。処理部材４０は、触媒である酸化チタンを通水性を有するように充填することにより形成される。
【００３９】
次に、上述した本発明の第１の実施の形態である汚染土壌浄化装置１０における作用について説明する。
【００４０】
汚染土壌浄化装置１０において、注水タンク２０から注水パイプ２４を介して注水用ピット２６に薬液が常に注がれる状態にすると、各注水用井戸１２，１２…は常に充填された状態となる。注水用ピット２６は天面が開放されているので、各注水用井戸１２，１２…の内部に空気などのガスが存在又は発生したとしても、そのまま注水用ピット２６から脱気される。このため、ガスの抵抗による注水用井戸１２，１２…の注水効率の低下を防止することができる。
【００４１】
こうして注水用井戸１２に設けられたパイプ３４に薬液を充満させると、パイプ３４に設けられた多数の孔から薬液が浸出して、ネット３８及び珪砂層３６を介して汚染土壌１６内へ浸透する。ネット３８及び珪砂層３６は通水性を有しているので、薬液を短時間で効果的に注水用井戸１２から汚染土壌１６へ浸透させ拡散させることができる。そして注入された薬液と汚染土壌１６中に含まれる汚染物質とが接触することにより酸化反応を起こし、汚染土壌１６の汚染物質を分解処理することができる。
【００４２】
汚染物質を分解処理した薬液は、揚水ポンプ３０の吸引力により揚水用井戸１４を介して揚水される。すると、汚染土壌１６中の薬液が揚水用井戸１４に設けられた珪砂層３６、処理部材４０、及びネット３８を通過して、揚水用井戸１４に設けられたパイプ３４の内部へ取り込まれる。この際、薬液と処理部材４０とが接触して薬液中の過酸化水素が処理部材４０内の酸化チタンと反応することにより、強い酸化力を有するラジカルが生成される。このように生成されたラジカルにより薬液中に残存する汚染物質を確実に分解処理することができるので、パイプ３４に取り込まれた薬液中には汚染物質がほとんど除去することができる。したがって、揚水としてパイプ３４を介して地表１８まで吸引された薬液中には汚染物質が存在していないため、揚水タンク２８を介してそのまま放水することが可能となるので、従来のように揚水した後に、地表上で汚染物質を分離して処理するための設備が不要となり、そのための設備スペース、設備コストを大幅に削減することができる。さらに、注水と揚水を組み合わせて行うので、効率よく汚染土壌の浄化を行うことができる上、浄化に要する時間及びランニングコストをさらに低減することができる。
【００４３】
なお、上述した汚染土壌浄化装置１０では処理部材４０として酸化チタンを用いたが、特に限定するものではなく、鉄や、鉄及び酸化チタンの混合物を触媒として用いてもよい。また、薬液の代わりに水を用いて、触媒の代わりに活性炭やイオン交換樹脂などの吸着剤を処理部材４０として用いてもよい。これにより、汚染土壌浄化装置１０において注水用井戸１４から水を注入することにより汚染土壌１６が洗浄される。そして、洗浄後の水を揚水用井戸１４から吸引することにより、揚水用井戸１４に設けられた処理部材４０である吸着剤と接触する。すると、水中の汚染物質が処理部材４０の吸着剤の物理的引力により吸着されて水中から除去されるため、処理部材４０により処理された水はパイプ３４を介して地表１８まで揚水され、揚水配管３２、揚水ポンプ３０、及び揚水タンク２８を介してそのまま放水することが可能となる。
【００４４】
図３は、本発明の第２の実施の形態である土壌汚染浄化装置における揚水用井戸５０の断面図であり、処理ネットを設けた例である。
【００４５】
土壌汚染浄化装置の構成は、本発明の第１の実施の形態である汚染土壌浄化装置１０と同様であるが、図３に示すように、揚水用井戸５０には処理部材が省略される代わりに、処理ネットとして酸化チタンで構成された触媒ネット５２が設けられる。
【００４６】
本発明の第２の実施の形態である汚染土壌浄化装置によれば、図示しない揚水ポンプからの吸引力により、汚染土壌１６中の薬液が珪砂層３６、触媒ネット５２、及びパイプ３４を通過して揚水用井戸５０から揚水される。触媒ネット５２を通過する際に、触媒ネット５２の酸化チタンと接触して強力な酸化力を有するラジカルが生成されて、そのラジカルにより洗浄後の水に含まれる汚染物質を効果的に分解除去することができる。したがって、揚水を行うだけで汚染物質の分解除去を行うことができる上、揚水用井戸５０に設けられる部材が少なくすることができるため、揚水用井戸５０にかかる設備コストをさらに削減することができるとともに、揚水用井戸５０の設置に要する手間も省くことができる。
【００４７】
図４は、本発明の第３の実施の形態である汚染土壌浄化装置における揚水用井戸６０の断面図であり、処理層を設けた例である。
【００４８】
汚染土壌浄化装置の装置構成は本発明の第１の実施の形態である汚染土壌浄化装置１０と同様であるが、図４に示すように、揚水用井戸６０には処理部材が省略されており、処理層として触媒層６２が設けられる。触媒層６２は、パイプ３４と揚水用井戸６０との間に、適量の触媒である酸化チタンを混合した珪砂を充填することにより形成される。
【００４９】
本発明の第３の実施の形態である汚染土壌浄化装置によれば、図示しない揚水ポンプからの吸引力により、汚染土壌１６中に含まれる洗浄後の水が触媒層６２、ネット３８、及びパイプ３４を通過して揚水用井戸６０から揚水される。触媒層６２を通過する際に、薬液中の過酸化水素が触媒層６２中の酸化チタンに接触することにより強力な酸化力を有するラジカルが形成される。このラジカルにより薬液中に残存する汚染物質が効果的に分解処理できるので、揚水を行うだけで汚染物質の除去が行うことができる。また、珪砂に酸化チタンを混合して形成された触媒層はパイプの支持と薬液の処理を兼ねることができるので、揚水用井戸６０における設備コストをさらに抑えることができる上、薬液との接触面積が大きいのでさらに効率よく汚染物質の分解・除去を行うことができる。
【００５０】
なお、上述した汚染土壌浄化装置１０及び揚水用井戸１４，５０，６０において、各部材及び装置の個数、形状、材質などは特に限定するものではない。
【００５１】
汚染土壌浄化装置１０では注水と揚水を別々の系で行っていたが、特に限定するものではない。揚水された薬液をそのまま注水側へ返送し、適切な濃度に薬液を調整して使用すれば、汚染土壌１６の浄化に使用する水の量を低減できるので、浄化にかかるランニングコストを大幅に削減することができる。
【００５２】
また、各注水用井戸１２，１２…への注水において、ガス抜き手段として注水用ピット２６を用いたが、特に限定するものではない。各注水用井戸１２，１２…のパイプ３４，３４…と注水配管２４とを直結して、注水配管２４にガス抜き手段としての弁を設ければ、注水用井戸１２，１２…内に存在するガスを弁により抜くことができる上、注水の圧力を調整することができるので、極めて効率のよい注水を行うことができる。
【００５３】
さらに、砂材層として珪砂で形成された珪砂層３６を用いていたが、特に限定するものではない。薬液又は／及び水に対して透過性がよく、パイプ３４を安定して支持して固定できる物質であればよい。
【図面の簡単な説明】
【００５４】
【図１】本発明の第１の実施の形態である汚染土壌浄化装置の概略構成を示した断面斜視図
【図２】本発明の第１の実施の形態である汚染土壌浄化装置における揚水側井戸の断面図
【図３】本発明の第２の実施の形態である汚染土壌浄化装置における揚水側井戸の断面図
【図４】本発明の第３の実施の形態である汚染土壌浄化装置における揚水側井戸の断面図
【符号の説明】
【００５５】
１０…汚染土壌浄化装置、１２…注水用井戸、１４…揚水用井戸、１６…汚染土壌、１８…地表、２０…注水タンク、２２…注水ポンプ、２４…注水配管、２６…注水用ピット、２８…揚水タンク、３０…揚水ポンプ、３２…揚水配管、３４…パイプ、３６…珪砂層、３８…ネット、４０…処理部材、５０…揚水用井戸、５２…触媒ネット、６０…揚水用井戸、６２…触媒層
【図１】
2005046807.tif 000003
【図２】
2005046807.tif 000004
【図３】
2005046807.tif 000005
【図４】
2005046807.tif 000006